(57)【要約】      （修正有）【課題】多様な模様・色彩を自由に表現し、耐水性と耐久性に優れた靴のヒールを提供する。【解決手段】外周面に漆を塗布した第１漆塗膜と、第１漆塗膜の上に第１漆塗膜と同色あるいは異色の漆を塗布し、磨きにより所望の図柄を付与する第２漆塗膜と、前記図柄等の表面に塗布した透明性を有する塗料の透明体とからなる靴のヒールとした。【選択図】図４
0003103126.tif 000002
【実用新案登録請求の範囲】
【請求項１】
外周面に漆を塗布した第１漆塗膜と、第１漆塗膜の上に第１漆塗膜と同色あるいは異色の漆を塗布し、磨きにより所望の図柄を付与する第２漆塗膜と、前記図柄等の表面に塗布した透明性を有する塗料の透明体とからなる靴のヒール。
【請求項２】
第１漆塗膜と第２漆塗膜との間に下地を介在させてなる請求項１記載の靴のヒール。
【請求項３】
第１漆塗膜と第２漆塗膜との間にラメ、貝殻等を介在させてなる請求項１記載の靴のヒール。
【考案の詳細な説明】
【技術分野】
【０００１】
本考案は、靴のヒールに関し、特に、多様な模様・色彩を自由に表現し、耐水性と耐久性に優れたもので、漆を重ね塗りし、塗膜の厚さは０．１ｍｍ〜１ｍｍで、スプレーガンによる吹き付け塗布、刷毛塗り、筆塗り等により行う。
【背景技術】
【０００２】
従来の靴のヒール表面の加工としては、ヒール表面に革、合成皮革、生地等を巻き付ける巻き付けヒールや、ヒール表面に吹き付け塗布、刷毛塗り、筆塗り等の塗りヒールがある。
【特許文献１】特開２００３−１０２５０８号公報
【特許文献２】特開平０８−１４２５９９号公報
【考案の開示】
【考案が解決しようとする課題】
【０００３】
巻き付けヒールは、簡単な形状のヒールや単純な図形等を表現するのには適しているが、複雑な形状のヒールや凹凸感等を表現するのには適してない。また、ヒールを製作する金型の寸法上の制約から限られたデザインとなり、さらに、所望の色艶を備えた素材の調達も難しい。
【０００４】
塗りヒールのスプレー塗装では、一般のヒールでは単色となり、図形や色彩等のデザインの表現は難しく、スプレーにより付着した塗膜は剥がれることも多い。
【０００５】
したがって、多様な模様・色彩を自由に表現し、耐水性と耐久性に優れた靴のヒールを提供することが求められている。
【課題を解決するための手段】
【０００６】
本考案は、上記の事情に鑑み、多様な模様・色彩を自由に表現し、耐水性と耐久性に優れた靴のヒールを提供すべく、外周面に漆を塗布した第１漆塗膜と、第１漆塗膜の上に第１漆塗膜と同色あるいは異色の漆を塗布し、磨きにより所望の図柄を付与する第２漆塗膜と、前記図柄等の表面に塗布した透明性を有する塗料の透明体とからなる靴のヒールとした。
【０００７】
また、本考案は、具体的には、第１漆塗膜と第２漆塗膜との間に下地を介在させてなる靴のヒールである。
【０００８】
さらに、本考案は、具体的には、第１漆塗膜と第２漆塗膜との間にラメ、貝殻等を介在させてなる靴のヒールである。
【考案の効果】
【０００９】
本考案は、外周面に漆を塗布した第１漆塗膜と、第１漆塗膜の上に第１漆塗膜と同色あるいは異色の漆を塗布し、磨きにより所望の図柄を付与する第２漆塗膜と、前記図柄等の表面に塗布した透明性を有する塗料の透明体とからなる靴のヒールであるので、多様な模様・色彩を自由に表現し、耐水性と耐久性に優れた靴のヒールを提供できる。
【００１０】
また、本考案は、第１漆塗膜と第２漆塗膜との間に下地を介在させてなる靴のヒールであるので、多様な模様・色彩を自由に表現し、耐水性と耐久性に優れた靴のヒールを提供できる。
【００１１】
さらに、本考案は、第１漆塗膜と第２漆塗膜との間にラメ、貝殻等を介在させてなる靴のヒールであるので、多様な模様・色彩を自由に表現し、耐水性と耐久性に優れた靴のヒールを提供できる。
【考案を実施するための最良の形態】
【００１２】
本考案を添付する図面の具体的実施例に基づいて、以下詳細に説明する。
【００１３】
図１はハイヒール１の斜視図、図２はハイヒール１のヒール２の斜視図である。
【００１４】
ヒール２の外周面上の構成について図３〜図６の模式図により説明する。
「第一段階」                                                                      ヒール２の表面の汚れを取り除き、表面にある傷をサンドペーパーをかける等して表面を滑らかに調整して傷を無くする。
「第二段階」                                                                      ヒール２の外周面に漆（本漆、カシュー漆等、以下、単に「漆」という。）を刷毛または吹き付けにより塗布して第１漆塗膜３を形成する。第１漆塗膜３の厚さは０．１ｍｍ〜１．０ｍｍで、適宜回数により形成する。
「第三段階」                                                                      対象価格により、下記のケース１、ケース２、ケース３、ケース４に分けて実施する。      
【００１５】
(i) ケース１（図３）
第１漆塗膜３の上に透明性を有するコーティング塗料の透明体４を、膜厚０．１ｍｍ〜１．０ｍｍで刷毛または吹き付けにより適宜回数により形成する。
【００１６】
(ii) ケース２（図４）
図４に示すように、例えば赤色の漆を全面に塗布して第１漆塗膜３とし、第１漆塗膜３の上に黒色の漆を全面に塗布して第２漆塗膜６を形成する。ヒール２の外周面に表現しようとする図形（柄）、例えばハートのマークとすると、ハートのマークを第２漆塗膜６から削除すると、赤色の第１漆塗膜３のハートのマークが露出し、ヒール２の外周面に赤色のハートのマークを表現する。次に、これ等の表面に透明性を有するコーティング塗料の透明体４を全面に塗布する。
【００１７】
上記のようにしてヒールの外周面に多様な模様・色彩を自由に表現できる。
【００１８】
(iii) ケース３（図５）
図５−１に示すように、第１漆塗膜３の上に、第１漆塗膜３と異なる色で２個の丸で、漆の下地５を刷毛または吹き付けにより塗布する。第１漆塗膜３と下地５との色を異なったものとする。例えば、第１漆塗膜３の色を黒とすれば、下地５の色は赤とする。
【００１９】
次に、図５−２に示すように、例えば黒色の漆を全面に塗布して第２漆塗膜６とする。      
【００２０】
さらに、図５−３に示すように、下地５の上面の第２漆塗膜６を磨いて第２漆塗膜６を除去して赤色の下地５を露出させ、下地５と第２漆塗膜６とが一つの柄となる。第２漆塗膜６の漆は加工が容易で簡単に除去でき、凹凸を付する等の加工も容易にできる。多様な模様・色彩を自由に表現できるのも漆の加工が容易なことによる。
【００２１】
最後に図５−４に示すように、透明性を有するコーティング塗料の透明体４を全面に塗布する。
【００２２】
(iv) ケース４（図６）
図６−１に示すように、ヒール２の外周全面に第１漆塗膜３が塗布してあって、ラメ、貝殻等８を貼り付ける糊の役目をする。
【００２３】
次に、図６−２に示すように、ラメ、貝殻等８をヒール２の外周面の第１漆塗膜３に付着させる。
【００２４】
図６−３に示すように、ヒール２の全外周面に漆を塗布して第２漆塗膜６とする。
【００２５】
続いて、図６−４に示すように、ラメ、貝殻等８の上面の第２漆塗膜６を除去してラメ、貝殻等８を露出させ、ラメ、貝殻等８と第２漆塗膜６とが一つの柄となる。
【００２６】
最後に、図６−５に示すように、透明性を有するコーティング塗料の透明体４を全面に塗布する。
【００２７】
上記のようにして、ヒールの外周面に多様な模様・色彩を自由に表現できる。
【００２８】
本考案によると、ヒールと漆とを一体に成形し、ヒールの柔軟なデザイン性を確保できる。
【００２９】
本考案のヒールによると、色彩の変化に富み、塗膜は非常に強靱である。
【００３０】
本考案のヒールは優美で、塗膜は弾性力に富み、密着力が強く、耐久性が増す。
【００３１】
本考案のヒールを用いると、製靴作業も簡単で、しかも今までにない新しいヒールの表現が簡単にでき、見た目も美しく、耐久性も増す。
【図面の簡単な説明】
【００３２】
【図１】本考案が適用される具体的な一実施例のハイヒールの斜視図である。
【図２】図１のハイヒールのヒールの斜視図である。
【図３】本考案のヒールの外面的構成を説明する断面模式図である。
【図４】本考案のヒールの外面的構成を説明する断面模式図である。
【図５】本考案のヒールの外面的構成を説明する別の模式図である。
【図６−１】本考案のヒールの外面的構成を説明するさらに別の模式図で、第１漆塗膜がヒールの外周面に塗布された模式図である。
【図６−２】ラメ、貝殻等をヒールの第１漆塗膜上に付着させた模式図である。
【図６−３】ラメ、貝殻等を付着させた第１漆塗膜上に第２漆塗膜を塗布した模式図である。
【図６−４】ラメ、貝殻等の上面の第２漆塗膜を除去してラメ、貝殻等を露出させた模式図である。
【図６−５】ヒールの全面に透明体を塗布した模式図である。
【符号の説明】
【００３３】
３…第１漆塗膜
６…第２漆塗膜
【図１】
0003103126.tif 000003
【図２】
0003103126.tif 000004
【図３】
0003103126.tif 000005
【図４】
0003103126.tif 000006
【図５】
0003103126.tif 000007
【図６−１】
0003103126.tif 000008
【図６−２】
0003103126.tif 000009
【図６−３】
0003103126.tif 000010
【図６−４】
0003103126.tif 000011
【図６−５】
0003103126.tif 000012